(57)【要約】【課題】加温販売された飲料容器入りの飲料を口内火傷を引き起こすことなく飲用することを可能とする飲料飲用補助具を提供する。【解決手段】飲料飲用補助具は、筒状の本体と、該本体の上端に形成された鍔状ストッパーと、該ストッパーを介して本体と一体に形成された飲み口部と、前記本体の下端に該本体と一体に形成された、少なくとも１枚の、飲料容器の蓋材に突き刺される突き刺し刃からなる突き刺し部を備える。鍔状ストッパーには飲料容器のフランジ部への係止部が連設されている。また、飲み口部の向きと同じ向きの側の本体の壁領域の一部が切欠され、流入口が形成されている。飲み口部は周壁を備え、この周壁は飲み口部の上面の少なくとも一部は被覆しないように形成されている。【選択図】  図２
2004215985.tif 000002
【特許請求の範囲】
【請求項１】
筒状の本体と、該本体の上端に形成された鍔状ストッパーと、該ストッパーを介して本体と一体に形成された飲み口部と、前記本体の下端に該本体と一体に形成された、少なくとも１枚の、飲料容器の蓋材に突き刺される突き刺し刃からなる突き刺し部を備えることを特徴とする飲料飲用補助具。
【請求項２】
鍔状ストッパーには飲料容器のフランジ部への係止部が連設されていることを特徴とする請求項１に記載の飲料飲用補助具。
【請求項３】
飲み口部の向きと同じ向きの側の本体の壁領域の一部が切欠され、流入口が形成されていることを特徴とする請求項１又は２に記載の飲料飲用補助具。
【請求項４】
飲み口部は周壁を備え、該周壁は飲み口部の上面の少なくとも一部は被覆しないように形成されていることを特徴とする請求項１乃至３の何れか一項に記載の飲料飲用補助具。
【発明の詳細な説明】
【０００１】
【発明の属する技術分野】
本発明は飲料飲用補助具に関し、更に詳しくはホットウォーマーで加温販売される、或いは自動販売機で加温販売される金属罐、プラスチック製容器または紙カップ容器等の液体容器入りのホットなコーヒー、紅茶、緑茶、ウーロン茶、スープ、ジュース等を飲む時に便利な飲料飲用補助具に関する。
【０００２】
【従来の技術】
従来、図１に例示するように、容器本体１内にコーヒー、紅茶、緑茶、ウーロン茶、スープ、ジュース等を常温充填し、例えばアルミニウム箔／ポリエチレン複合フィルムからなる突き刺し可能な蓋材（図示せず）で容器本体１の口部を密封しその上にオーバーキャップ２を被せ容器本体１の胴部にはストロー３がはいった袋体を貼着してなる容器入り飲料がコンビニエンスストア等において販売されている。またこの容器入り飲料をコンビニエンスストア等に設置されたホットウォーマー内に陳列して６０℃前後に加温販売することも行われている（例えば、特許文献１、特許文献２参照）。
【０００３】
【特許文献１】
特開２００２−２６４９４７号公報（第１図、第４図）
【特許文献２】
特開平７−２８５５７９号公報（第１図、第３図）
【０００４】
【発明が解決しようとする課題】
上記のような飲料を購入した消費者は６０℃前後に加温されたコーヒー、紅茶、緑茶、ウーロン茶、スープ、ジュース等の飲料をストローを使って飲もうとすると、容器内の熱い飲料が途中で空気にふれて冷まされることなくストローを通して口内に吸い込まれ、場合によっては口の中を火傷する場合がある。
【０００５】
本発明の目的は、加温販売された飲料容器入りの飲料を口内火傷を引き起こすことなく飲用することを可能とする飲料飲用補助具を提供することである。
【０００６】
【課題を解決するための手段】
請求項１に記載の発明は、上記の課題を解決するもので、フランジを備える筒状の本体と、該本体のフランジより上方に該本体と一体に形成された飲み口部と、前記本体の下端に該本体と一体に形成された、少なくとも１枚の、飲料容器の蓋材に突き刺される突き刺し刃からなる突き刺し部を備え、突き刺し部を飲料容器の蓋材に突き刺し本体及び突き刺し部を容器内に挿入し、容器内の飲料を本体内部及び飲み口部を通して飲用するように構成されていることを特徴とする飲料飲用補助具を要旨とする。
【０００７】
本発明の飲料飲用補助具は、鍔状ストッパーに飲料容器のフランジ部への係止部が連設されており、飲料飲用補助具を飲料容器に固定できるように構成されていることが望ましい。
【０００８】
また、本発明の飲料飲用補助具は、本体の壁の一部が切欠され、流入口が形成されていることが望ましい。本発明の飲料飲用補助具を容器に付けて、容器を傾けて飲むとき下側になる本体の壁領域、即ち飲み口部の向きと同じ向きの側の本体の壁領域の一部に流入口を設け、内容物が突き刺し刃と突き刺し刃の間を通して、或いは本体の内壁と突き刺し刃の間を通して、本体内に内容物が流れ込むだけでなく、流入口を通しても本体内に内容物が流れ込むことにより、内容物を最後まで飲み干せるように構成されていることが望ましい。
【０００９】
また、本発明の飲料飲用補助具において、飲み口部は周壁を備え、該周壁は飲み口部の上面の少なくとも一部は被覆しないように、即ち吸い飲みの口部のように完全な円筒でなく、飲料を飲んでいるときにエア置換を確実に行うことができるように、飲み口部の上面の少なくとも一部を露出させるように周壁が構成されていることが望ましい。
【００１０】
本発明の飲料飲用補助具を容器に装着して容器内の飲料を飲むとき、突き刺し部を容器の口部を覆っている蓋材に突き刺して鍔状ストッパーが蓋材に接するまで本体及び突き刺し部を容器内に挿入し、容器を傾けて容器内の飲料を突き刺し刃と突き刺し刃の間を通し、或いは本体の内壁と突き刺し刃の間を通し、本体内を経て飲み口部に流入させ、飲み口部から飲料を飲むことができる。そのときストローを通して吸い込むのと異なり、飲料を適度の速さで飲むことができるので口内火傷は回避される。
【００１１】
本発明の飲料飲用補助具は、プラスチック製容器、紙／合成樹脂／金属箔複合材料または紙／合成樹脂複合材料からなる容器、または金属製容器の何れに対しても適用可能である。
【００１２】
【発明の実施の形態】
図２は本発明の飲料飲用補助具を示し、（Ａ）は縦断面図、（Ｂ）は平面図である。また、図３は本発明の飲料飲用四序具の側面図を示す。
【００１３】
本発明の飲料飲用補助具１０は、筒状の本体１１と、該本体１１の上端に形成された鍔状ストッパー１６と、該ストッパー１６を介して本体１１と一体に形成された飲み口部１７と、前記本体１１の下端に本体１１と一体に形成された、数枚の放射状に配置された、飲料容器の蓋材に突き刺される突き刺し刃１２ａからなる突き刺し部１２を備える。また、本体１１は鍔状ストッパー１６の下側に飲料容器の密着部を有する。尚、図２に示す実施の形態においては突き刺し刃１２ａは４枚あるが、突き刺し刃１２ａの数はこれに限定されず、例えば３つの突き刺し刃を放射状に配置してもよい。
【００１４】
更に、図６に示すように、突き刺し部１２は１枚の突き刺し刃１２ａからなるように構成してもよい。即ち、突き刺し部１２は、本体１１の下端に本体１１と一体に形成された、本体１１の下端の開口部をその直径方向に横断する、１枚の突き刺し刃１２ａのみを備えるものであってもよい。
【００１５】
鍔状ストッパー１６には飲料容器のフランジ部への係止部１８が連設されている。
【００１６】
また、飲み口部１７の向きと同じ向きの側の本体１１の壁領域の一部が切欠され、流入口１４が形成されている。それ故、飲料飲用補助具１０を飲料容器に付けて、飲料容器を傾けて飲むとき下側になる、飲み口部１７の向きと同じ向きの側の本体１１の壁領域の一部に流入口１４があることにより、液体内容物が突き刺し刃１２ａと突き刺し刃１２ａの間を通して、或いは突き刺し部１２が１枚の突き刺し刃からなる場合は本体１１の内壁と突き刺し刃１２ａの間を通して、本体１１内に内容物が流れ込むだけでなく、流入口１４を通しても本体１１内に液体内容物が流れ込むことにより、液体内容物を最後まで飲み干せることができる。
【００１７】
また、飲み口部１７は周壁１７ａを備え、この周壁１７ａは、飲み口部１７の上面は被覆しないように形成されている。即ち、飲み口部１７は、吸い飲みの口部のように完全な円筒でなく、飲料を飲んでいるときにエア置換を確実に行うことができるように、飲み口部１７の上面を露出させるように周壁１７ａは構成されている。尚、この場合、エア置換を妨げない範囲で飲み口部１７の上面の一部を覆うように周壁１７ａを形成してもよい。
【００１８】
図４は本発明の飲料飲用補助具１０を例えば紙／アルミニウム箔／ポリエチレン複合材料からなるカップ容器１９に取り付けた状態を示す。突き刺し部１２は蓋材２０に突き刺してカップ容器１９内に鍔状ストッパー１６が蓋材２０に接するまで本体１１及び突き刺し部１２を挿入し、カップ容器１９のフランジ１９ａに係止部１８を係止する。
【００１９】
この状態でカップ容器１９を傾けてカップ容器１９内の飲料を放射状に配置された突き刺し刃１２ａと突き刺し刃１２ａの間を通して、或いは突き刺し部が１枚の突き刺し刃１２ａからなる場合には本体１１の内壁と突き刺し刃１２ａの間ょを通して、本体１１内を経て飲み口部１７に流入させ、飲み口部１７から飲料を飲むことができる。そのときストローを通して吸い込むのと異なり、飲料を適度の速さで飲むことができ、また、飲み口部を通して適度の温度に冷ましながら飲むことができるので、口内火傷は回避される。
【００２０】
本発明において、例えば４枚の突き刺し刃１２ａを備える突き刺し部１２の場合、突き刺し刃１２ａを蓋材２０に突き刺したとき、突き刺し刃１２ａによって破断した部分以外に亀裂が走らず、突き刺し刃１２ａによる破断によって形成された４分の１円の部分が本体１１の密着部１３に密着するように、蓋材２０の材料として例えば未延伸ナイロン／ポリエチレン、ポリプロピレン、ポリエチレンテレフタレート等のポリオレフィン系フィルムの積層フィルム、未延伸ナイロン／エチレンポリビニルアルコール共重合体や塩化ビニリデン等のバリアー層／未延伸のポリエチレン、ポリプロピレン、ポリエチレンテレフタレート等のポリオレフィン系フィルムの積層フィルム、未延伸ナイロン／アルミニウム等の金属蒸着層／未延伸のポリエチレン、ポリプロピレン、ポリエチレンテレフタレート等のポリオレフィン系フィルムの積層フィルム等を利用するのが望ましい。
【００２１】
図５はオーバーキャップ２１に形成した穴を通して、本発明の飲料飲用補助具１０をカップ容器１９に取り付けた状態を示す。この場合オーバーキャップ２１に押すことにより容易に破断可能な円形の薄肉部を形成しておき、この薄肉部で囲まれた領域内に力を加えることによりオーバーキャップ２１の一部を円形に抜いて穴を形成し、この穴を通して突き刺し部１２を蓋材２０に突き刺してカップ容器１９内に鍔状ストッパー１６が蓋材２０に接するまで本体１１及び突き刺し部１２を挿入し、カップ容器１９のフランジ１９ａに係止部１８を係止する。
【００２２】
この場合飲料飲用補助具１０を取り付けたオーバーキャップ２１をカップ容器１９に冠着することになるのでカップ容器１９にしっかり飲料飲用補助具１０が取り付けられる。
【００２３】
また、図４及び図５はカップ容器１９に飲料飲用補助具１０を取り付けた状態を示すが、本発明の飲料飲用具１０はこれに限定されることなく、プラスチック製容器、金属罐等の容器にも適用し得るものである。
【００２４】
【発明の効果】
以上詳細に説明したように、本発明の飲料飲用補助具は、筒状の本体と、該本体の上端に形成された鍔状ストッパーと、該ストッパーを介して本体と一体に形成された飲み口部と、前記本体の下端に該本体と一体に形成された、少なくとも１枚の、飲料容器の蓋材に突き刺される突き刺し刃からなる突き刺し部を備えるもので、例えばホットウォーマー内に陳列して加温販売された容器入り飲料を飲むとき、突き刺し部を容器の口部を覆っている蓋材に突き刺して鍔状ストッパーが蓋材に接するまで本体及び突き刺し部を容器内に挿入し、容器を傾けて容器内の飲料を、突き刺し部が複数の突き刺し刃からなる場合は突き刺し刃と突き刺し刃の間を通して、或いは突き刺し部が１枚の突き刺し刃からなる場合は本体の内壁と突き刺し刃の間を通して、本体内を経て飲み口部に流入させ、飲み口部から飲料を飲むことができる。そのときストローを通して吸い込むのと異なり、飲料を適度の速さで飲むことができ、また飲み口部を通して適度の温度に冷ましながら飲むことができるので、口内火傷は回避される。
【図面の簡単な説明】
【図１】図１は従来のストロー付包装体を示す側面図である。
【図２】本発明の飲料飲用補助具を示し、（Ａ）は縦断面図、（Ｂ）は平面図である。
【図３】図２に示す飲料飲用補助具の側面図である。
【図４】飲料飲用補助具をカップ容器に取り付けた状態を示す説明図である。
【図５】飲料飲用補助具をオーバーキャップを介してカップ容器に取り付けた形態を示す説明図である。
【図６】本発明の別の実施の形態に係る飲料飲用補助具を示し。（Ａ）は縦断面図、（Ｂ）は平面図である。
【符号の説明】
１      容器本体
２      オーバーキャップ
３      ストロー
１０    飲料飲用補助具
１１    本体
１２    突き刺し部
１２ａ  突き刺し刃
１３    密着部
１４    流入口
１６    環状ストッパー
１７    飲み口部
１７ａ  周壁
１８    係止部
１９    カップ容器
１９ａ  容器のフランジ
２０    蓋材
２１    オーバーキャップ
【図１】
2004215985.tif 000003
【図２】
2004215985.tif 000004
【図３】
2004215985.tif 000005
【図４】
2004215985.tif 000006
【図５】
2004215985.tif 000007
【図６】
2004215985.tif 000008